(57)【要約】【課題】  特にオゾンを水に溶解させることにより発生するラジカルによって、消臭や汚れの除去、滅菌効果を達成するナノバブル式水殺菌装置を提供する。【解決手段】  オゾン発生器（２０）と、加圧ポンプ（３０）と、圧力均一化バレル（４０）と、圧力解放器（５０）とを有し、加圧ポンプ（３０）に貯水室（１２）と接続される水供給管（３１）が接続され、水供給管（３１）にオゾン発生器（２０）と接続される気体供給管（２１）が接続されると共に、加圧ポンプ（３０）の一側に圧力均一化バレル（４０）と接続される第１移送管（３２）が接続され、圧力均一化バレル（４０）の上部に圧力調整器（４０１）が設けられ、圧力均一化バレル（４０）と圧力解放器（５０）とが第２移送管（４１）により接続され、圧力解放器（５０）の上部に減圧弁（５０１）が設けられ、圧力解放器（５０）の一側に吐水口（１５）と接続される配水管（５１）が接続され、配水管（５１）の末端に水の供給及び加圧ポンプの作動を制御するスイッチが設けられ、該スイッチが光センサースイッチであることを特徴とする。【選択図】  図１
0003121951.tif 000002
【実用新案登録請求の範囲】
【請求項１】
オゾン発生器（２０）と、圧力をかけることにより水にオゾンを溶解させる加圧ポンプ（３０）と、圧力均一化バレル（４０）と、圧力解放器（５０）とを有し、
前記加圧ポンプ（３０）に他端が貯水室（１２）と接続される、水を供給するための水供給管（３１）が接続され、該水供給管（３１）に他端がオゾン発生器（２０）と接続される気体供給管（２１）が接続されると共に、該加圧ポンプ（３０）の一側に他端が圧力均一化バレル（４０）と接続される第１移送管（３２）が接続され、該圧力均一化バレル（４０）の上部に圧力調整器（４０１）が設けられ、該圧力均一化バレル（４０）と圧力解放器（５０）とが第２移送管（４１）により接続され、該圧力解放器（５０）の上部に減圧弁（５０１）が設けられ、該圧力解放器（５０）の一側に他端が吐水口（１５）と接続される配水管（５１）が接続され、該配水管（５１）の末端に水の供給及び加圧ポンプの作動を制御するスイッチが設けられ、
前記スイッチが光センサースイッチであることを特徴とするナノバブル式水殺菌装置。
【請求項２】
カバー体（１０）を有し、該カバー体（１０）内に前記オゾン発生器（２０）、加圧ポンプ（３０）、圧力均一化バレル（４０）及び圧力解放器（５０）が収容され、前記配水管（５１）が該カバー体（１０）の外側へ延出し、
前記カバー体（１０）の上側内部に凹状のシンク（１１）が成形され、該シンク（１１）の底部に排水口（１１１）が設けられ、該排水口（１１１）がカバー体（１０）の外側へ延出する排水管（１４）と接続され、更に前記配水管（５１）の末端における、シンク（１１）の上方と対応する位置に吐水口（１５）が設けられ、該吐水口（１５）上に開閉用のハンドルが設けられ、
前記カバー体（１０）の内部に収容室（１３）及び貯水室（１２）が設けられ、その内、該収容室（１３）内にオゾン発生器（２０）、加圧ポンプ（３０）、圧力均一化バレル（４０）及び圧力解放器（５０）が収容されると共に、該貯水室（１２）内に貯水スイッチ（１２２）が設けられ、貯水室（１２）の底部が前記水供給管（３１）の上端と接続されることを特徴とする請求項１に記載のナノバブル式水殺菌装置。
【請求項３】
前記シンク（１１）における排水口（１１１）上に排水栓（１１２）が設けられると共に、該シンク（１１）の一側上端近傍に他端が排水管（１４）に通じる排水バイパス管（１１４）と接続されるオーバーフロー（１１３）が設けられ、
前記貯水室（１２）内に貯水スイッチ（１２２）と接続される水位センサー（１２１）が設けられ、
前記圧力解放器（５０）が複数の配水管（５１）と接続され、
前記貯水室（１２）と排水管（１４）との間に排水バイパス管（１２３）が設けられ、該排水バイパス管（１２３）上に排水スイッチ（１２４）が設けられ、
前記カバー体（１０）の側壁における、貯水室と対応する位置に通気口（１２５）が成形されることを特徴とする請求項２に記載のナノバブル式水殺菌装置。
【考案の詳細な説明】
【技術分野】
【０００１】
本考案は、特にオゾンを水に溶解させることにより発生するラジカルによって消臭や汚れの除去、滅菌効果を達成するナノバブル式水殺菌装置に関するものである。
【背景技術】
【０００２】
食物や食器、医療用品などは常に清潔にしておく必要があるため、一般には汚れを除去した後、消毒を行うことにより、目に見えない細菌やウイルスの感染を防止している。また、現在における消毒方法としては、一般に化学薬剤により消毒を行うことによって滅菌効果を得る方法が用いられている。
【考案の開示】
【考案が解決しようとする課題】
【０００３】
しかしながら、化学薬剤は一定の細菌やウイルスに対しては消毒効果を有するが、洗浄時に化学薬剤が残留していると、その残留している化学薬剤が排水管内に流れ込み、破壊しきれなかった細菌やウイルスが周囲の環境を汚染してしまう。この問題を解決するためには排水管に流れ込む際に化学薬剤を濾過する必要があるが、それでは濾過設備を増設しなければならないので、消費者にとってかなりの負担がかかってしまう。
【課題を解決するための手段】
【０００４】
本考案の請求項１は、オゾン発生器（２０）と、圧力をかけることにより水にオゾンを溶解させる加圧ポンプ（３０）と、圧力均一化バレル（４０）と、圧力解放器（５０）とを有し、
前記加圧ポンプ（３０）に他端が貯水室（１２）と接続される、水を供給するための水供給管（３１）が接続され、該水供給管（３１）に他端がオゾン発生器（２０）と接続される気体供給管（２１）が接続されると共に、該加圧ポンプ（３０）の一側に他端が圧力均一化バレル（４０）と接続される第１移送管（３２）が接続され、該圧力均一化バレル（４０）の上部に圧力調整器（４０１）が設けられ、該圧力均一化バレル（４０）と圧力解放器（５０）とが第２移送管（４１）により接続され、該圧力解放器（５０）の上部に減圧弁（５０１）が設けられ、該圧力解放器（５０）の一側に他端が吐水口（１５）と接続される配水管（５１）が接続され、該配水管（５１）の末端に水の供給及び加圧ポンプの作動を制御するスイッチが設けられ、
前記スイッチが光センサースイッチであることを特徴とするナノバブル式水殺菌装置を提供するものであり、
本考案の請求項２は、カバー体（１０）を有し、該カバー体（１０）内に前記オゾン発生器（２０）、加圧ポンプ（３０）、圧力均一化バレル（４０）及び圧力解放器（５０）が収容され、前記配水管（５１）が該カバー体（１０）の外側へ延出し、
前記カバー体（１０）の上側内部に凹状のシンク（１１）が成形され、該シンク（１１）の底部に排水口（１１１）が設けられ、該排水口（１１１）がカバー体（１０）の外側へ延出する排水管（１４）と接続され、更に前記配水管（５１）の末端における、シンク（１１）の上方と対応する位置に吐水口（１５）が設けられ、該吐水口（１５）上に開閉用のハンドルが設けられ、
前記カバー体（１０）の内部に収容室（１３）及び貯水室（１２）が設けられ、その内、該収容室（１３）内にオゾン発生器（２０）、加圧ポンプ（３０）、圧力均一化バレル（４０）及び圧力解放器（５０）が収容されると共に、該貯水室（１２）内に貯水スイッチ（１２２）が設けられ、貯水室（１２）の底部が前記水供給管（３１）の上端と接続されることを特徴とする請求項１に記載のナノバブル式水殺菌装置を提供するものであり、
本考案の請求項３は、前記シンク（１１）における排水口（１１１）上に排水栓（１１２）が設けられると共に、該シンク（１１）の一側上端近傍に他端が排水管（１４）に通じる排水バイパス管（１１４）と接続されるオーバーフロー（１１３）が設けられ、
前記貯水室（１２）内に貯水スイッチ（１２２）と接続される水位センサー（１２１）が設けられ、
前記圧力解放器（５０）が複数の配水管（５１）と接続され、
前記貯水室（１２）と排水管（１４）との間に排水バイパス管（１２３）が設けられ、該排水バイパス管（１２３）上に排水スイッチ（１２４）が設けられ、
前記カバー体（１０）の側壁における、貯水室と対応する位置に通気口（１２５）が成形されることを特徴とする請求項２に記載のナノバブル式水殺菌装置を提供するものである。
【考案の効果】
【０００５】
本考案は上記の課題を解決するものであり、オゾン発生器と、圧力をかけることにより水にオゾンを溶解させる加圧ポンプと、圧力均一化バレルと、圧力解放器とを有し、前記加圧ポンプに他端が貯水室と接続される、水を供給するための水供給管が接続され、該水供給管に他端がオゾン発生器と接続される気体供給管が接続されると共に、該加圧ポンプの一側に他端が圧力均一化バレルと接続される第１移送管が接続され、該圧力均一化バレルの上部に圧力調整器が設けられ、該圧力均一化バレルと圧力解放器とが第２移送管により接続され、該圧力解放器の上部に減圧弁が設けられ、該圧力解放器の一側に他端が吐水口と接続される配水管が接続され、該配水管の末端に水の供給及び加圧ポンプの作動を制御するスイッチが設けられ、該スイッチが光センサースイッチである構成を有することから、該加圧ポンプで所定量のオゾンを水に溶解すると共に、圧力解放器により無数のナノメートル級の気泡に分解することにより、その気泡が破裂した時、オゾンを含むナノメートル級の水粒子となり、殺菌効果を得ることができる。
【０００６】
更に、本考案では、オゾンと水を反応させて水酸基ラジカルを発生させることにより、悪臭、汚れ及び細菌やウイルスのリボ核酸（RNA）或いはデオキシリボ核酸（DNA）を破壊するので、優れた滅菌効果を得ることができると共に、滅菌時には、水酸基ラジカルが水と酸素に変化することから、環境保護に寄与することができ、更に使用後にはそのまま排水管から流すことができるので、使用利便性が高い。
【考案を実施するための最良の形態】
【０００７】
以下、添付図面を参照して本考案の好適な実施の形態を詳細に説明する。
【実施例】
【０００８】
図１は本考案に係るナノバブル式水殺菌装置の構造を示す断面図である。
【０００９】
図１に示すように、本考案のナノバブル式水殺菌装置は、中空のカバー体（１０）、オゾン発生器（２０）、加圧ポンプ（３０）、圧力均一化バレル（４０）及び圧力解放器（５０）とから成り、該カバー体（１０）の上側内部に凹状のシンク（１１）が成形されると共に、内部に貯水室（１２）及び収容室（１３）が設けられ、該シンク（１１）、貯水室（１２）及び収容室（１３）はそれぞれ隔絶され、更にカバー体（１０）内に一端がシンク（１１）の底部と連通する排水管（１４）が設けられ、該排水管（１４）の他端は汚水を排出するためにカバー体（１０）の外部へ延出される。また、前記カバー体（１０）の外側における、シンク（１１）の上方と対応する位置に、加圧ポンプ（３０）と接続する吐水の開閉用スイッチ（図示せず）を有する吐水口（１５）が設けられ、該スイッチは、加圧ポンプ（３０）の制御を行うものである。尚、前記スイッチは、非接触式である光センサースイッチであってもよい。
【００１０】
前記シンク（１１）における、排水管（１４）と対応する位置に排水栓（１１２）により塞ぐことができる排水口（１１１）が成形され、これにより使用者はシンク（１１）に水を溜めて洗浄作業を行うことができる。更に前記シンク（１１）の一側上端近傍に他端が排水管（１４）に通じる排水バイパス管（１１４）と接続されるオーバーフロー（１１３）が設けられ、該オーバーフロー（１１３）までシンク（１１）内の水位が高くなると、該オーバーフロー（１１３）から水を逃がし、更なる水位の上昇を防ぐことができる。
【００１１】
前記貯水室（１２）内に貯水スイッチ（１２２）と接続される水位センサー（１２１）が設けられ、該水位センサー（１２１）が貯水室（１２）の水位が低いと判断した時は、水位センサー（１２１）と接続される貯水スイッチ（１２２）が起動して水を注入し、該水位センサー（１２１）が貯水室（１２）の水位が高いと判断した時は、貯水スイッチ（１２２）が水の注入を停止する。また、前記貯水室（１２）と排水管（１４）とは排水スイッチ（１２４）を有する排水バイパス管（１２３）により接続され、貯水室（１２）の洗浄後、汚水を排水する時は、排水スイッチ（１２４）を開いて排水バイパス管（１２３）を介して排水管（１４）から排水する。更に、前記カバー体（１０）の上側における、貯水室（１２）と対応する位置に該貯水室（１２）と外部との圧力バランスを保つための通気口（１２５）が形成される。
【００１２】
前記オゾン発生器（２０）、加圧ポンプ（３０）、圧力均一化バレル（４０）及び圧力解放器（５０）は共に、カバー体（１０）における収容室（１３）内に設置され、その内圧力均一化バレル（４０）は圧力調整器（４０１）を有し、圧力解放器（５０）は減圧弁（５０１）を有すると共に、該加圧ポンプ（３０）と貯水室（１２）とは水供給管（３１）により接続され、該水供給管（３１）とオゾン発生器（２０）とは気体供給管（２１）により接続され、加圧ポンプ（３０）と圧力均一化バレル（４０）とは第１移送管（３２）により接続され、該圧力均一化バレル（４０）と圧力解放器（５０）とは第２移送管（４１）により接続され、該圧力解放器（５０）と吐水口（１５）とは配水管（５１）により接続される。
【００１３】
また、前記オゾン発生器（２０）により発生したオゾンが気体供給管（２１）に送り込まれると共に、前記貯水室（１２）内の水が水供給管（３１）に流れ込み、加圧ポンプ（３０）が起動すると、負圧が発生して水とオゾンが水供給管（３１）を通って加圧ポンプ（３０）内に送り込まれ、そこでの加圧（通常は、３〜１０気圧）によりマイクロ級の泡が発生することによって、所定量のオゾンを水に溶解させると、水酸基ラジカル（OH−及びHO2）が発生し、その後第１移送管（３２）を介して水酸基ラジカルを含んだオゾン水溶液が圧力均一化バレル（４０）に移送されると、圧力調整器（４０１）により圧力の調整がなされて余分な気体が排出され、第２移送管（４１）を通って圧力解放器（５０）に移送される。続いて減圧弁（５０１）により圧力が開放されると、水に溶解したオゾンが０.１〜０.２マイクロメートルサイズの無数の気泡となり、その気泡は圧力差は生じると破裂して１０〜２０ナノメートルサイズとなる。故に使用者が吐水口（１５）の蛇口（符号なし）から水を出して食物や食器、皮膚などを洗浄する時は、気泡の粒子が極めて小さいことから、水酸基ラジカルが細菌及びウイルスのRNAやDNAを破壊するので、優れた瞬間滅菌効果を得ることができると共に、水酸基ラジカルは滅菌後に水と酸素に変化するので、環境汚染の問題は生じない。
【００１４】
更に、本考案においては、複数の配水管（５１）と圧力解放器（５０）とを接続することにより、同時に複数の吐水口（１５）に対して使用してもよい。
【００１５】
本考案における「滅菌・殺菌」は、細菌やウイルスなどの微生物に対するものである。
【００１６】
尚、上述した実施形態は単に本考案の一部の形態であり、本明細書に示す主張の範囲内であれば如何なる形態に構成させてもよく、また、容易に想到し得る範囲内であれば、当然本考案の主張範囲に属することは言うまでもない。
【図面の簡単な説明】
【００１７】
【図１】本考案に係るナノバブル式水殺菌装置の構造を示す断面図である。
【符号の説明】
【００１８】
１０        カバー体
１１        シンク
１１１      排水口
１１２      排水栓
１１３      オーバーフロー
１１４      排水バイパス管
１２        貯水室
１２１      水位センサー
１２２      貯水スイッチ
１２３      排水バイパス管
１２４      排水スイッチ
１２５      通気口
１３        収容室
１４        排水管
１５        吐水口
２０        オゾン発生器
２１        気体供給管
３０        加圧ポンプ
３１        水供給管
３２        第１移送管
４０        圧力均一化バレル
４０１      圧力調整器
４１        第２移送管
５０        圧力解放器
５０１      減圧弁
５１        配水管
【図１】
0003121951.tif 000003